(57)【特許請求の範囲】
【請求項１】
内線接続した１ないし複数の固定電話機および無線電波により接続した１ないし複数の無線電話機を収容している内線電話システムであって、１ないし複数の前記無線電話機のいずれかの無線電話機に着信があった際に、着信があった前記無線電話機から音声情報として着信音もしくは着信メロディを出力することを指示し、かつ、当該無線電話機が出力した前記音声情報を１ないし複数の前記固定電話機それぞれにおいて受信した際の該音声情報の音量レベルに関する情報を各前記固定電話機から受け取ることによって、各前記固定電話機それぞれから受け取った前記音声情報の音量レベルに基づいて、１ないし複数の前記固定電話機のうち前記無線電話機の近傍に位置する固定電話機を特定し、特定した前記固定電話機に対して着信を行うことを特徴とする内線電話システム。
【請求項２】
前記無線電話機が音声情報として出力する着信音もしくは着信メロディは、当該無線電話機の内線番号に関する情報を重畳しているか、あるいは、各前記無線電話機ごとに固有にあらかじめ割り当てられた鳴動周期の着信音もしくは着信メロディであることを特徴とする請求項１に記載の内線電話システム。
【請求項３】
各前記固定電話機それぞれから受け取った前記音声情報の音量レベルに基づいて、前記無線電話機の近傍に位置する前記固定電話機を特定する場合、前記音声情報を受信した１ないし複数の前記固定電話機のうち、前記音声情報の音量レベルが最も高い音量レベルの前記固定電話機を選択して特定するか、あるいは、前記音声情報の音量レベルがあらかじめ定めたレベル閾値以上の１ないし複数の前記固定電話機を選択して特定することを特徴とする請求項１または２に記載の内線電話システム。
【請求項４】
着信があった前記無線電話機が出力した前記音声情報を受信する１ないし複数の前記固定電話機は、内線接続したすべての前記固定電話機のうち、空き状態にある固定電話機、あるいは、当該無線電話機が位置登録されている無線基地局のあらかじめ定めた領域内に存在し、かつ、空き状態にある固定電話機とすることを特徴とする請求項１ないし３のいずれかに記載の内線電話システム。
【請求項５】
着信があった前記無線電話機が出力した前記音声情報を受信する１ないし複数の前記固定電話機は、内線接続したすべての前記固定電話機のうち、当該無線電話機が出力する前記音声情報を受信するための準備をあらかじめ指示された固定電話機とすることを特徴とする請求項１ないし４のいずれかに記載の内線電話システム。
【請求項６】
前記固定電話機は、ＩＰ（Internet  Protocol）電話機もしくはデジタル電話機であり、前記無線電話機は、携帯電話機もしくはＰＨＳ（Personal  Handy−Phone  System）端末であることを特徴とする請求項１ないし５のいずれかに記載の内線電話システム。
【請求項７】
内線接続した１ないし複数の固定電話機および無線電波により接続した１ないし複数の無線電話機を収容している内線電話システムにおける着信制御方法であって、１ないし複数の前記無線電話機のいずれかの無線電話機に着信があった際に、着信があった前記無線電話機から音声情報として着信音もしくは着信メロディを出力し、かつ、当該無線電話機が出力した前記音声情報を１ないし複数の前記固定電話機それぞれにおいて受信した際の該音声情報の音量レベルに基づいて、１ないし複数の前記固定電話機のうち前記無線電話機の近傍に位置する固定電話機を特定し、特定した前記固定電話機に対して着信を行うことを特徴とする着信制御方法。
【請求項８】
前記無線電話機が音声情報として出力する着信音もしくは着信メロディは、当該無線電話機の内線番号に関する情報を重畳しているか、あるいは、各前記無線電話機ごとに固有にあらかじめ割り当てられた鳴動周期の着信音もしくは着信メロディであることを特徴とする請求項７に記載の着信制御方法。
【請求項９】
各前記固定電話機それぞれから受け取った前記音声情報の音量レベルに基づいて、前記無線電話機の近傍に位置する前記固定電話機を特定する場合、前記音声情報を受信した１ないし複数の前記固定電話機のうち、前記音声情報の音量レベルが最も高い音量レベルの前記固定電話機を選択して特定するか、あるいは、前記音声情報の音量レベルがあらかじめ定めたレベル閾値以上の１ないし複数の前記固定電話機を選択して特定することを特徴とする請求項７または８に記載の着信制御方法。
【請求項１０】
請求項７ないし９のいずれかに記載の着信制御方法を、コンピュータによって実行可能なプログラムとして実施していることを特徴とする着信制御プログラム。
【発明の詳細な説明】
【技術分野】
【０００１】
本発明は、内線電話システム、着信制御方法および着信制御プログラムに関する。
【背景技術】
【０００２】
多機能ボタン電話システム（キーテレホンシステム）や構内電話交換機等の内線電話システムに接続可能な無線電話機は、外出先では、通常の携帯電話機もしくはＰＨＳ（Personal  Handy-Phone  System）端末等の無線電話機として利用し、社内などにおいては、そのまま内線電話機として利用するケースが増える一方、内線電話システム用として卓上に設置されるＩＰ（Internet  Protocol）電話機やデジタル電話機等の固定電話機も、サーバ、ＰＣ（Personal  Computer）連携、インターネット対応など高機能化している。
【０００３】
内線電話システムに収容された携帯電話機もしくはＰＨＳ端末等の無線電話機と卓上に設置されたＩＰ電話機もしくはデジタル電話機等の固定電話機との両方を使用して、移動先では、携帯電話機もしくはＰＨＳ端末等の無線電話機を利用し、社内などにおいてはＩＰ電話機やデジタル電話機等の固定電話機を利用するという利用者も多い。このように、携帯電話機もしくはＰＨＳ端末等の無線電話機とＩＰ電話機もしくはデジタル電話機等の固定電話機との両方を利用している場合、利用者にとっては、着信があった場合には、着信があった方の電話端末で応答することが必要であり、応答した際に、着信がなかった方の電話端末の機能やサービスを利用することができなかった。
【０００４】
携帯電話機もしくはＰＨＳ端末等の無線電話機とＩＰ電話機もしくはデジタル電話機等の固定電話機との両方を利用している場合におけるかくのごとき問題を解決するために、例えば、ＰＨＳ端末または携帯電話機等の無線電話機を携行した利用者が社内に居る状況において、当該携帯電話機もしくはＰＨＳ端末等の無線電話機に着信があった場合には、当該携帯電話機もしくはＰＨＳ端末等の無線電話機の位置を特定することによって、より高機能化したもう一方のＩＰ電話機もしくはデジタル電話機等の固定電話機によって当該着信に応答することを可能にする技術が提案されるようになってきている。
【０００５】
例えば、特許文献１の特開平０７−２４０９６０号公報「電話システム」には、着信先の携帯電話機が通話中の場合に、当該携帯電話機が位置登録している無線基地局のエリア内に存在している固定電話機に自動転送する技術が記載されている。
【先行技術文献】
【特許文献】
【０００６】
【特許文献１】特開平０７−２４０９６０号公報（第２−３頁）
【発明の概要】
【発明が解決しようとする課題】
【０００７】
しかしながら、内線電話システムに接続可能な携帯電話機もしくはＰＨＳ端末等の無線電話機と内線電話システム用として卓上に設置されたＩＰ電話機もしくはデジタル電話機等の固定電話機との両方を使用している場合、前記特許文献１の自動転送技術を適用しようとしても、携帯電話機もしくはＰＨＳ端末等の無線電話機の無線基地局の範囲は広い領域に及ぶものであり、携帯電話機もしくはＰＨＳ端末等の無線電話機とＩＰ電話機もしくはデジタル電話機等の固定電話機との間の距離が離れている場合が一般的であり、固定電話機が位置する場所まで長い距離を移動することが必要になり、利便性を損なう結果を招くことになる。
【０００８】
さらには、携帯電話機もしくはＰＨＳ端末等の無線電話機の位置登録している基地局エリア内に複数のＩＰ電話機もしくはデジタル電話機等の固定電話機が存在していた場合に、どのＩＰ電話機もしくはデジタル電話機等の固定電話機が着信があった携帯電話機もしくはＰＨＳ端末等の無線電話機の最も近傍に存在している固定電話機であるかということを特定することも困難である。
【０００９】
（本発明の目的）
本発明は、かかる事情に鑑みてなされたものであり、携帯電話機もしくはＰＨＳ端末等の無線電話機に着信があった際に、最寄りのＩＰ電話機もしくはデジタル電話機等の固定電話機によっても応答することが可能な内線電話システム、着信制御方法および着信制御プログラムを提供することを、その目的としている。
【課題を解決するための手段】
【００１０】
前述の課題を解決するため、本発明による内線電話システム、着信制御方法および着信制御プログラムは、主に、次のような特徴的な構成を採用している。
【００１１】
（１）本発明による内線電話システムは、内線接続した１ないし複数の固定電話機および無線電波により接続した１ないし複数の無線電話機を収容している内線電話システムであって、１ないし複数の前記無線電話機のいずれかの無線電話機に着信があった際に、着信があった前記無線電話機から音声情報として着信音もしくは着信メロディを出力することを指示し、かつ、当該無線電話機が出力した前記音声情報を１ないし複数の前記固定電話機それぞれにおいて受信した際の該音声情報の音量レベルに関する情報を各前記固定電話機から受け取ることによって、各前記固定電話機それぞれから受け取った前記音声情報の音量レベルに基づいて、１ないし複数の前記固定電話機のうち前記無線電話機の近傍に位置する固定電話機を特定し、特定した前記固定電話機に対して着信を行うことを特徴とする。
【００１２】
（２）本発明による着信制御方法は、内線接続した１ないし複数の固定電話機および無線電波により接続した１ないし複数の無線電話機を収容している内線電話システムにおける着信制御方法であって、１ないし複数の前記無線電話機のいずれかの無線電話機に着信があった際に、着信があった前記無線電話機から音声情報として着信音もしくは着信メロディを出力し、かつ、当該無線電話機が出力した前記音声情報を１ないし複数の前記固定電話機それぞれにおいて受信した際の該音声情報の音量レベルに基づいて、１ないし複数の前記固定電話機のうち前記無線電話機の近傍に位置する固定電話機を特定し、特定した前記固定電話機に対して着信を行うことを特徴とする。
【００１３】
（３）本発明による着信制御プログラムは、少なくとも前記（２）に記載の着信制御方法を、コンピュータによって実行可能なプログラムとして実施していることを特徴とする。
【発明の効果】
【００１４】
本発明の内線電話システム、着信制御方法および着信制御プログラムによれば、以下のような効果を奏することができる。
【００１５】
すなわち、本発明による主要な効果は、内線電話システムに収容された携帯電話機もしくはＰＨＳ端末等の無線電話機に着信があった場合に、当該無線電話機に近接して設置されているＩＰ電話機やデジタル電話機等の固定電話機であっても、当該無線電話機の代わりに、当該無線電話機への着信に応答して、該固定電話機が有する高度な機能を使用することが可能になることにある。
【００１６】
その理由は、着信があった無線電話機から着信音もしくは着信メロディとして出力する音声情報を、当該無線電話機の周辺に位置している各固定電話機が受信して、それぞれが受信した音声情報の音量レベルを内線電話システムに対して通知してくるので、内線電話システムは、当該無線電話機に近接して設置されている固定電話機を特定することができ、特定した固定電話機に対して着信動作を行うことができるからである。
【図面の簡単な説明】
【００１７】
【図１】本発明による内線電話システムのシステム構成の一例を示すシステム構成図である。
【図２】図１に示す内線電話システムの動作の流れの一例を説明するためのフローチャートである。
【図３】図１に示す内線電話システムに収容された無線電話機に着信があった際に当該無線電話機と各固定電話機それぞれとの間の相対的な位置関係を説明するための説明図である。
【発明を実施するための形態】
【００１８】
以下、本発明による内線電話システム、着信制御方法および着信制御プログラムの好適な実施形態について添付図を参照して説明する。なお、以下の説明においては、本発明による内線電話システムおよび着信制御方法について説明するが、かかる着信制御方法をコンピュータにより実行可能な着信制御プログラムとして実施するようにしても良いし、あるいは、着信制御プログラムをコンピュータにより読み取り可能な記録媒体に記録するようにしても良いことは言うまでもない。ここで、内線電話システムとは、公衆網と接続されて、組織内の電話サービスを実施する私設電話設備を構成するものであり、構内電話交換機（ＰＢＸ：Private  Branch  Exchange）やキーテレホンシステム（または多機能ボタン電話システム）等からなっている。
【００１９】
（本発明の特徴）
本発明の実施形態の説明に先立って、本発明の特徴についてその概要をまず説明する。本発明は、内線電話システムに収容された携帯電話機もしくはＰＨＳ端末等の無線電話機に着信があった場合に、該無線電話きの代わりに応答可能な固定電話機として、音量を用いて、着信があった該無線電話機の近傍の卓上などに設置されている内線電話システム用のＩＰ電話機やデジタル電話機等の固定電話機を特定し、特定したＩＰ電話機やデジタル電話機等の固定電話機に対して着信することを主要な特徴としている。而して、ＩＰ電話機やデジタル電話機等の固定電話機を用いて着信に応答することにより、応答したＩＰ電話機やデジタル電話機等の固定電話機のより高度な電話機能を使用することが可能になる。
【００２０】
（本発明の実施形態の構成）
次に、本発明の実施形態の構成例について、図１を用いて詳細に説明する。図１は、本発明による内線電話システムのシステム構成の一例を示すシステム構成図である。図１に示す本実施形態の内線電話システム１は、構内電話交換機（ＰＢＸ）もしくはキーテレホンシステム（または多機能ボタン電話システム）から構成されている。図１に示す内線電話システム１においては、卓上等に設置される固定電話機としてＩＰ（Internet  Protocol）電話機１１もしくはデジタル電話機２１を用いている場合を示している。さらに、図１に示す内線電話システム１は、卓上等に設置される固定電話機として、１ないし複数のＩＰ電話機１１を、ＬＡＮ（Local  Area  Network）を介して接続したり、１ないし複数のデジタル電話機２１を、デジタル通信ケーブル（２芯または４芯）を介して接続したりするのみならず、移動通信用として利用される携帯電話機もしくはＰＨＳ（Personal  Handy-Phone  System）端末等の無線電話機３１も、無線電波によって１ないし複数接続することができる。
【００２１】
ここで、構内電話交換機（ＰＢＸ）もしくはキーテレホンシステム（または多機能ボタン電話システム）からなる内線電話システム１は、制御部２、ＩＰ電話機制御部３、デジタル電話機制御部４、無線電話機制御部５、記憶部６、出力部７を、少なくとも含んで構成されている。
【００２２】
制御部２は、内線電話システム１全体の動作を制御する部位である。また、ＩＰ電話機制御部３は、ＩＰ電話機１１に対する指示およびＩＰ電話機１１からの情報取得等の制御を行う部位である。また、デジタル電話機制御部４は、デジタル電話機２１に対する指示およびデジタル電話機２１からの情報取得等の制御を行う部位である。また、無線電話機制御部５は、携帯電話機もしくはＰＨＳ端末等の無線電話機３１に対する指示および無線電話機３１からの情報取得等の制御を行う部位である。
【００２３】
また、記憶部６は、内線着信時の応答動作を制御する着信制御プログラム等の内線電話システム１の動作用の制御プログラムを格納したり、各種のデータを記憶したりする部位であり、記憶する各種のデータの一つとして、１ないし複数の無線電話機３１のいずれかに着信した際に、当該内線電話システム１の制御に基づいて、内線接続している１ないし複数のＩＰ電話機１１や１ないし複数のデジタル電話機２１の各固定電話機それぞれから通知されてくる音声情報の音量レベルに関する情報も含まれている。また、出力部７は、１ないし複数のＩＰ電話機１１や１ないし複数のデジタル電話機２１の各固定電話機それぞれから通知されてくる音声情報の音量レベルに基づいて、着信があった無線電話機３１と、各ＩＰ電話機１１や各デジタル電話機２１の各固定電話機それぞれとの間の、相対的な位置関係を示す情報を利用者に対して出力する部位である。
【００２４】
一方、１ないし複数のＩＰ電話機１１は、いずれも、ＩＰ電話機制御部１２、音声生成部１３、スピーカー１４、マイク１５を少なくとも含んで構成されている。ＩＰ電話機制御部１２は、内線電話システム１と連携して、自ＩＰ電話機１１の制御を行う部位であり、音声生成部１３は、ＩＰ電話機制御部１２の制御に基づいて着信音や着信メロディ等の音声情報を生成する部位であり、スピーカー１４は、音声生成部１３が生成した音声情報を出力する部位であり、マイク１５は、外部からの音声情報を取り込む部位である。
【００２５】
また、１ないし複数のデジタル電話機２１は、ＩＰ電話機１１と同様の構成を備えており、いずれも、デジタル電話機制御部２２、音声生成部２３、スピーカー２４、マイク２５を少なくとも含んで構成されている。デジタル電話機制御部２２は、内線電話システム１と連携して、自デジタル電話機２１の制御を行う部位であり、音声生成部２３は、デジタル電話機制御部２２の制御に基づいて着信音や着信メロディ等の音声情報を生成する部位であり、スピーカー２４は、音声生成部２３が生成した音声情報を出力する部位であり、マイク２５は、外部からの音声情報を取り込む部位である。
【００２６】
また、１ないし複数の無線電話機３１も、ＩＰ電話機１１と同様の構成を備えており、いずれも、無線電話機制御部３２、音声生成部３３、スピーカー３４、マイク３５を少なくとも含んで構成されている。無線電話機制御部３２は、内線電話システム１と連携して、自無線電話機３１の制御を行う部位であり、音声生成部３３は、無線電話機制御部３２の制御に基づいて着信音や着信メロディ等の音声情報を生成する部位であり、スピーカー３４は、音声生成部３３が生成した音声情報を出力する部位であり、マイク３５は、外部からの音声情報を取り込む部位である。
【００２７】
（本発明の実施形態の動作の説明）
次に、図１に示す内線電話システム１の動作について、その一例を、図２のフローチャートおよび図３の説明図を用いて説明する。図２は、図１に示す内線電話システム１の動作の流れの一例を説明するためのフローチャートである。また、図３は、図１に示す内線電話システム１に収容された無線電話機３１に着信があった際に当該無線電話機３１と各ＩＰ電話機１１、各デジタル電話機２１等の各固定電話機それぞれとの間の相対的な位置関係を説明するための説明図である。
【００２８】
図２のフローチャートにおいて、まず、内線電話システム１に収容されている１ないし複数のＩＰ電話機１１またはデジタル電話機２１または無線電話機３１のいずれかの内線電話機に対して外線または内線から電話着信すると（ステップＳ１）、内線電話システム１の制御部２は、着信があった着信先の内線番号の電話機が、携帯電話機もしくはＰＨＳ端末等の無線電話機３１であるか否かを判別する（ステップＳ２）。
【００２９】
着信先の内線番号の電話機が、無線電話機３１ではなかった場合は（ステップＳ２の「いいえ」の場合）、着信先の電話機は、ＩＰ電話機１１またはデジタル電話機２１等のいずれかの、卓上等に設置された高機能の固定電話機であるので、着信先の固定電話機すなわちＩＰ電話機１１またはデジタル電話機２１にそのまま着信するように、着信先の固定電話機のスピーカーすなわちＩＰ電話機１１のスピーカー１４またはデジタル電話機２１のスピーカー２４から着信音もしくは着信メロディを出力して、当該固定電話機の利用者に対する呼び出しを行う。
【００３０】
一方、着信先の内線番号の電話機が、無線電話機３１であった場合は（ステップＳ２の「はい」の場合）、当該無線電話機３１から最も近傍に位置している固定電話機すなわちＩＰ電話機１１もしくはデジタル電話機２１を特定して、特定した該固定電話機に対して、当該無線電話機３１に代わって着信して、応答することができる状態に移行するための処理に移行する。例えば、図３の説明図に示す無線電話機３１に対する着信があった場合、当該無線電話機３１に最も近い位置関係にある第７固定電話機４１ｇに対して着信を行うための処理に移行する。
【００３１】
ここで、図３に示す説明図には、卓上に設定されているＩＰ電話機１１もしくはデジタル電話機２１を第ｎ固定電話機（ｎ＝１〜８の整数）と表記して示しており、第１固定電話機４１ａ、第２固定電話機４１ｂ、…、第８固定電話機４１ｈの８台の固定電話機がそれぞれの卓上に分散して配置されている。図３に示すように、着信があった携帯電話機もしくはＰＨＳ端末等の無線電話機３１を携行する利用者が位置している場所に最も近い位置にあるＩＰ電話機１１もしくはデジタル電話機２１の固定電話機は、第７固定電話機４１ｇが該当している。
【００３２】
図２のフローチャートのステップＳ２において、無線電話機３１に対する着信であった場合、まず、内線電話システム１の制御部２は、ＩＰ電話機制御部３、デジタル電話機制御部４を駆動して、当該内線電話システム１に収容されている各固定電話機すなわち各ＩＰ電話機１１および各デジタル電話機２１（つまり図３の第１固定電話機４１ａ、…、第８固定電話機４１ｈ）に対して、それぞれのマイクすなわちマイク１５もしくはマイク２５をＯＮにして、着信先として指定されている無線電話機３１からの音声情報を受信して入力する準備を行うことを指示する（ステップＳ３）。
【００３３】
内線電話システム１からの該指示を受け取った各固定電話機の制御部すなわち各ＩＰ電話機１１のＩＰ電話機制御部１２および各デジタル電話機２１のデジタル電話機制御部２２（つまり図３の第１固定電話機４１ａ、…、第８固定電話機４１ｈの各固定電話機制御部）は、それぞれのマイクすなわちマイク１５もしくはマイク２５をＯＮにして、着信先として指定されている無線電話機３１のスピーカー３４が着信音もしくは着信メロディとして出力する音声情報を、それぞれのマイクすなわちマイク１５もしくはマイク２５を介して受信するための準備を行う。
【００３４】
次に、内線電話システム１の制御部２は、無線電話機制御部５を駆動して、着信先として指定されている無線電話機３１に対して、内線番号を重畳したあらかじめ定めた鳴動周期の着信音もしくは着信メロディからなる音声情報を出力することを指示する（ステップＳ４）。内線電話システム１からの該指示を受け取った当該無線電話機３１の無線電話機制御部３２は、音声生成部３３を駆動して、内線番号を重畳したあらかじめ定めた鳴動周期の着信音もしくは着信メロディからなる音声情報を生成して、スピーカー３４から出力することによって、当該無線電話機３１を携行している利用者に対して着信を通知する。
【００３５】
一方、着信先として指定されている無線電話機３１からの音声情報を受信する準備を行っていた各固定電話機の制御部すなわち各ＩＰ電話機１１のＩＰ電話機制御部１２および各デジタル電話機２１のデジタル電話機制御部２２（つまり図３の第１固定電話機４１ａ、…、第８固定電話機４１ｈの各固定電話機制御部）は、それぞれのマイクから入力されてくる音声情報を受け取り、着信先として指定されていた無線電話機３１からの音声情報であるか否かを、受け取った音声情報に含まれている内線番号を解析することによって判別する（ステップＳ５）。
【００３６】
各固定電話機の制御部すなわち各ＩＰ電話機１１のＩＰ電話機制御部１２および各デジタル電話機２１のデジタル電話機制御部２２（つまり図３の第１固定電話機４１ａ、…、第８固定電話機４１ｈの各固定電話機制御部）は、それぞれ、受け取った音声情報の解析結果として、着信先として指定されていた無線電話機３１からの音声情報であることを判別すると、当該音声情報の受信レベル（音量レベル）の測定結果に関する情報を、当該音声情報に含まれていた無線電話機３１の内線番号を付して、内線電話システム１に送信する。
【００３７】
各固定電話機すなわち各ＩＰ電話機１１および各デジタル電話機２１（つまり図３の第１固定電話機４１ａ、…、第８固定電話機４１ｈ）それぞれから送信されてきた音量レベルと内線番号とを受信した内線電話システム１の制御部２は、各固定電話機から受信した音量レベルと内線番号とを記憶部６に保存する（ステップＳ６）。
【００３８】
しかる後、内線電話システム１の制御部２は、記憶部６に保存した各固定電話機すなわち各ＩＰ電話機１１および各デジタル電話機２１（つまり図３の第１固定電話機４１ａ、…、第８固定電話機４１ｈ）それぞれから送信されてきた音量レベルを比較する。さらに、内線電話システム１の制御部２は、それぞれの音量レベルを比較した結果に基づいて、各固定電話機すなわち各ＩＰ電話機１１および各デジタル電話機２１（つまり図３の第１固定電話機４１ａ、…、第８固定電話機４１ｈ）それぞれが存在する位置と、着信があった無線電話機３１との間の位置関係を判別して、出力部７を介して利用者に対して通知する。
【００３９】
さらに、内線電話システム１の制御部２は、着信があった無線電話機３１が出力した音声情報の音量レベルを最も高く受信していた固定電話機すなわちＩＰ電話機１１もしくはデジタル電話機２１を、当該無線電話機３１の最も近い位置に存在している固定電話機すなわちＩＰ電話機１１もしくはデジタル電話機２１として特定する（ステップＳ７）。すなわち、図３に示す説明図においては、第７固定電話機４１ｇが、着信があった無線電話機３１の最も近い位置に存在している固定電話機すなわちＩＰ電話機１１もしくはデジタル電話機２１であるものとして決定する。
【００４０】
しかる後、内線電話システム１の制御部２は、着信があった無線電話機３１の最も近い位置に存在している固定電話機として決定した固定電話機すなわちＩＰ電話機１１もしくはデジタル電話機２１（図３に示す第７固定電話機４１ｇ）を、着信があった無線電話機３１に代わって応答することが可能な固定電話機として、着信動作を行うことを指示する。
【００４１】
つまり、ＩＰ電話機制御部３もしくはデジタル電話機制御部４を駆動して、当該固定電話機すなわちＩＰ電話機１１もしくはデジタル電話機２１（つまり図３の第７固定電話機４１ｇ）に対して指示を行い、着信先のＩＰ電話機１１のスピーカー１４もしくはデジタル電話機２１のスピーカー２４（つまり図３の第７固定電話機４１ｇのスピーカー）からあらかじめ定めた鳴動周期の着信音もしくは着信メロディを出力させて、利用者に対する呼び出しを行わせる。（ステップＳ８）。なお、ここで出力する着信音もしくは着信メロディは、着信があった無線電話機３１に代わって応答することが可能な着信動作であることを示すために定めた特定の音声情報（例えば、着信があった無線電話機の内線番号を重畳した着信音もしくは着信メロディ）を用いるようにしても良い。
【００４２】
かくのごとき動作を行うことによって、着信があった無線電話機３１の利用者は、当該利用者の所在場所に最も近い位置に設置されている固定電話機すなわちＩＰ電話機１１もしくはデジタル電話機２１（つまり図３の第７固定電話機４１ｇ）を使って応答することができ、当該固定電話機に備えられている高機能の電話機能を用いて通話相手との通話を行うことが可能になる。
【００４３】
以上の実施形態においては、図２のステップＳ４において、着信があった無線電話機３１の音声生成部３３が生成して出力する音声情報として、内線番号を重畳したあらかじめ定めた着信音もしくは着信メロディを用いる場合を示したが、本発明はかかる場合に限るものではなく、どの無線電話機３１からの音声情報であるかを、各ＩＰ電話機１１や各デジタル電話機２１等の各固定電話機が識別することが可能な音声情報であれば、着信があった無線電話機３１の内線番号を重畳しなくても構わない。
【００４４】
例えば、音声情報として出力する着信音の鳴動周期や着信メロディについて、各無線電話機３１ごとに着信音の鳴動周期や着信メロディが異なるように、各無線電話機３１それぞれに固有にあらかじめ割り当てておき、それぞれの無線電話機３１から音声情報として出力される着信音の鳴動周期や着信メロディの違いによって、該音声情報を受信した各ＩＰ電話機１１や各デジタル電話機２１等の各固定電話機が、どの無線電話機３１からの音声情報であるかを識別することを可能にするようにしても良い。
【００４５】
また、前述した実施形態においては、図２のステップＳ５、Ｓ６において、内線番号を重畳したあらかじめ定めた鳴動周期の着信音もしくは着信メロディを受信した各ＩＰ電話機１１や各デジタル電話機等の各固定電話機が、着信音もしくは着信メロディに重畳されている内線番号を解析して、指定されていた無線電話機３１からの音声情報であることを判別する場合について説明したが、本発明はかかる場合に限るものではない。例えば、各固定電話機は、受信した音声情報に関するかくのごとき解析処理を行うことなく、固定電話機のマイクすなわちＩＰ電話機１１のマイク１５もしくはデジタル電話機２１のマイク２５から入力されてきた音声情報をそのまま内線電話システム１に送信して、内線電話システム１の制御部２によって、内線番号の解析処理を行うようにしても良い。
【００４６】
また、前述した実施形態においては、図２のステップＳ３において、無線電話機３１に着信があった際に、内線電話システム１に収容されている各固定電話機すなわち各ＩＰ電話機１１および各デジタル電話機２１（つまり図３の第１固定電話機４１ａ、…、第８固定電話機４１ｈ）に対して、それぞれのマイクすなわちマイク１５もしくはマイク２５をＯＮにして、着信先として指定されている無線電話機３１からの音声情報を受信して入力する準備を行うことを指示している場合を示したが、本発明はかかる場合に限るものではない。
【００４７】
例えば、各固定電話機すなわち各ＩＰ電話機１１および各デジタル電話機２１のマイク１５もしくはマイク２５を常時ＯＮ状態に設定しておき、必要に応じて、例えば、ステップＳ３のような内線電話システム１からの指示があった場合に、着信先として指定されている無線電話機３１からの音声情報が受信されてくることを監視する状態に移行するようにしても良いし、あるいは、ステップＳ３の内線電話システム１からの指示を行うことなく、常時、着信先として指定されている無線電話機３１からの音声情報が受信されてくるか否かを監視する状態に設定するようにしても良い。
【００４８】
さらに、場合によっては、内線電話システム１に収容されているすべての固定電話機のうち空き状態にある固定電話機すべてに対して、無線電話機３１からの音声情報を受信して入力する準備を行うための指示を内線電話システム１から行うことにしなくても良い。例えば、マイクをＯＮに設定する固定電話機すなわちＩＰ電話機１１やデジタル電話機２１は、着信先として指定された無線電話機３１が位置登録されている無線基地局の近傍すなわち当該無線基地局のあらかじめ定めた領域内に存在し、かつ、空き状態にある固定電話機のみに限って、指示を行うようにしても構わない。
【００４９】
また、前述した実施形態においては、図２のステップＳ７において、着信があった無線電話機３１の代わりに着信することが可能な固定電話機として、当該無線電話機３１の最も近い位置に存在している固定電話機すなわちＩＰ電話機１１もしくはデジタル電話機２１を特定する場合について説明したが、本発明はかかる場合のみに限るものではない。例えば、着信があった無線電話機３１から受信した音声情報の音量レベルが、あらかじめ定めたレベル閾値以上になっているすべての固定電話機すなわちＩＰ電話機１１もしくはデジタル電話機２１を、着信があった無線電話機３１の代わりに着信することが可能な固定電話機として特定して、着信音もしくは着信メロディを出力するようにしても良い。
【００５０】
つまり、図３の説明図において、着信があった無線電話機３１からの音声情報を前記レベル閾値以上の音量レベルで受信可能な範囲が、例えば、最外周のサークルで示す着信通知領域５１の範囲内にあるとした場合には、該無線電話機３１から最短の位置にある第７固定電話機４１ｇのみならず、着信通知領域５１内に位置している第３固定電話機４１ｃ、第６固定電話機４１ｆに対しても着信音もしくは着信メロディを出力するようにする。この結果、着信があった無線電話機３１の利用者は、着信音もしくは着信メロディが出力された第３固定電話機４１ｃ、第６固定電話機４１ｆ、第７固定電話機４１ｇのいずれでも、任意の固定電話機を用いて応答することが可能になる。
【００５１】
（実施形態の効果の説明）
以上に詳細に説明したように、本発明の実施形態においては、以下のような効果が得られる。
【００５２】
第１の効果は、内線電話システム１に収容された携帯電話機もしくはＰＨＳ端末等の無線電話機３１に着信があった場合に、当該無線電話機３１に近接して設置されているＩＰ電話機１１やデジタル電話機２１等の固定電話機であっても、当該無線電話機３１の代わりに、当該着信に応答して、該固定電話機が有する高度な機能を使用することが可能になることにある。その理由は、着信があった無線電話機３１から着信音もしくは着信メロディとして出力する音声情報を、当該無線電話機３１の周辺に位置しているＩＰ電話機１１やデジタル電話機２１等の各固定電話機が受信して、それぞれが受信した音声情報の音量レベルを内線電話システム１に対して通知してくるので、内線電話システム１は、当該無線電話機３１に近接して設置されている固定電話機を特定することができ、特定した固定電話機に対して着信動作を行うことができるからである。
【００５３】
第２の効果は、着信があった無線電話機３１に近接して設置されているＩＰ電話機１１やデジタル電話機２１等の固定電話機を確実に特定することができることにある。その理由は、着信があった無線電話機３１から出力する音声情報として、当該無線電話機３１の内線番号を重畳した着信音もしくは着信メロディ、または、当該無線電話機３１にあらかじめ割り当てられた鳴動周期の着信音もしくは着信メロディを用いているので、かかる音声情報を受信する各固定電話機もしくは内線電話システム１は、着信があった無線電話機３１から出力された音声情報であることを確実に判別することができるからである。
【００５４】
第３の効果は、着信があった無線電話機３１の利用者が、１ないし複数の固定電話機のうち、最も利用し易い固定電話機を選択して応答操作を行うことができることにある。その理由は、着信があった無線電話機３１に最も近い位置に設置されている固定電話機のみに限らず、無線電話機３１から受信した音声情報の音量レベルがあらかじめ定めたレベル閾値以上であったすべての固定電話機に対して、着信音もしくは着信メロディを出力して呼び出すようにすることも可能としているからである。
【００５５】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００５６】
１      内線電話システム
２      制御部
３      ＩＰ電話機制御部
４      デジタル電話機制御部
５      無線電話機制御部
６      記憶部
７      出力部
１１    ＩＰ（Internet  Protocol）電話機
１２    ＩＰ電話機制御部
１３    音声生成部
１４    スピーカー
１５    マイク
２１    デジタル電話機
２２    デジタル電話機制御部
２３    音声生成部
２４    スピーカー
２５    マイク
３１    無線電話機
３２    無線電話機制御部
３３    音声生成部
３４    スピーカー
３５    マイク
４１ａ  第１固定電話機
４１ｂ  第２固定電話機
４１ｃ  第３固定電話機
４１ｄ  第４固定電話機
４１ｅ  第５固定電話機
４１ｆ  第６固定電話機
４１ｇ  第７固定電話機
４１ｈ  第８固定電話機
５１    着信通知領域
【図１】
0005273829.tif 000002
【図２】
0005273829.tif 000003
【図３】
0005273829.tif 000004